(57)【要約】【課題】透過板に対して部分的に照光面を形成可能なライト装置を提供することを目的とする。【解決手段】ライト装置１は、照光面を形成可能な透過板６と透過板６の背面に配置された導光板１３と同導光板１３を介して前記透過板６に照光面を形成するための発光部９とを備えている。発光部９は透過板６に照光面を形成するための複数の発光体２３を備え、同複数の発光体２３を個別に発光させることができる。各発光体２３は導光板１３の側面に密接して配置され、また導光板１３には複数本の遮光溝１５、１８が平行に形成されており、これにより発光体２３から導光板１３に導入された光の特定方向（導光板１３の面において光の照射方向と直交する方向）への拡散を防止することができる。したがって、一つの発光体２５からの光は遮光溝１５、１９により区画された領域（ブロック）内から透過板６に向けて照射され、透過板６には部分的に照光面が形成される。【選択図】図１
2011003302.tif 000002
【特許請求の範囲】
【請求項１】
照光面を形成可能な透過板と透過板の背面に配置された導光板と同導光板を介して前記透過板に照光面を形成するための発光部とを備えたライト装置において、透過板の一部に発光部からの光を照光可能としたことを特徴とするライト装置。
【請求項２】
前記発光部は透過板に照光面を形成するための複数の発光体を備え、同複数の発光体を個別に発光可能とすることにより前記透過板の一部に発光部からの光を照光可能としたことを特徴とする請求項１に記載のライト装置。
【請求項３】
前記導光板には、発光部からの光が前記導光板内にて特定方向への拡散を防止する遮光溝が形成されていることを特徴とする請求項１又は２に記載のライト装置。
【請求項４】
前記遮光溝は、前記導光板の前面又は背面上に平行に複数本形成されていることを特徴とする請求項３に記載のライト装置。
【請求項５】
前記導光板は透過板の背面側で移動可能に配置されていることを特徴とする請求項１又は２に記載のライト装置。
【発明の詳細な説明】
【技術分野】
【０００１】
本発明は、本願はライト装置に係り、詳しくはトレースやネガフィルムの確認等に使用する照光面を備えたライト装置に関する。
【背景技術】
【０００２】
ライト装置は一般に高さが抑えられた箱状に形成されており、その前面には透過板が装着されている。ライト装置の内部には発光部と発光部からの光を拡散して透過板の背面側に照光するための導光板が配置されている。そして、透過板上に形成された照光面により透過板上に載置したイラストなどのトレース作業やネガフィルムの確認作業を行うものである（特許文献１）。なお、イラストのトレース作業は透過板を水平或いは緩い傾斜を設けて行うことが多いが、ネガフィルムの確認作業にあってはイラストのトレース作業と同様に配置する場合の他、例えば病院等ではライト装置を壁面に設置してレントゲンフィルムの確認作業を行う場合も多い。このような用途に使用されるライト装置にあっては、発光部が側面に配置されており、ライト装置の内部に配置された導光板内に発光部からの光を導入するとともにこの導入された光を拡散させて透過板に向かう光によって照光面を形成させ或いは発光部を導光板の背面に配置させるライト装置も提案されている（特許文献２）。
【先行技術文献】
【特許文献】
【０００３】
【特許文献１】特開平６−９４９２３号公報
【特許文献２】実開昭６３−８４３９１号公報
【発明の概要】
【発明が解決しようとする課題】
【０００４】
ところで、ライト装置に配置されている発光部は透過板を均一に照らす為に蛍光灯のような長い棒状の発光体を用いる場合や、或いは複数の発光体を列状に配置したものがある。しかし、発光部が複数の発光体からなる場合であってもその発光制御は発光部全体を一つとして行われている。すなわち、複数の発光体を一括で発光させるか或いは消光させるかを選択できるのみであった。このため、ライト装置でトレース作業等を行う場合にも透過板全体を照光させて作業を行っていた。
【０００５】
ところが、同作トレース業においてはライト装置の透過板のうち少なくとも作業を行っている部分には透過板の背面から光を照らして照光面を形成する必要があるものの、透過板のうち作業を行っていない部分には照光面を形成する必要がない場合もある。また、透過板上で細かなトレース作業等を長時間にわたって行う場合など、作業者の目が透過板前面に形成された照光面の明るさにさらされ続けることになり目が疲労することも考えられる。一方、ネガフィルムの確認作業等でも上記事情が存在することは勿論であるが、特にレントゲンフィルム等の確認作業に付帯して医師が患者に撮像の説明を行う場合など透過板全体が照光しているより、説明に必要な部分のみを照光させた方が説明しやすいということも考えられる。
【０００６】
そこで、上記事情に鑑み、本発明は、透過板に対して部分的に照光面を形成可能なライト装置を提供することを目的とする。
【課題を解決するための手段】
【０００７】
上記課題を解決するために請求項１に記載の発明では、照光面を形成可能な透過板と透過板の背面に配置された導光板と同導光板を介して前記透過板に照光面を形成するための発光部とを備えたライト装置において、透過板の一部に発光部からの光を照光可能としたことを特徴とする。
【０００８】
また、請求項２に記載の発明では、前記発光部は透過板に照光面を形成するための複数の発光体を備え、同複数の発光体を個別に発光可能とすることにより前記透過板の一部に発光部からの光を照光可能としたことを特徴とする。
【０００９】
請求項３に記載の発明では、前記導光板には、発光部からの光が前記導光板内にて特定方向への拡散を防止する遮光溝が形成されていることを特徴とする。
請求項４に記載の発明では、前記遮光溝は、前記導光板の前面又は背面上に平行に複数本形成されていることを特徴とする。
【００１０】
請求項５に記載の発明では、前記導光板は透過板の背面側で移動可能に配置されていることを特徴とする。
【発明の効果】
【００１１】
本発明のライト装置によれば、透過板に部分的に照光面を形成することができる。
【図面の簡単な説明】
【００１２】
【図１】（ａ）は第１の実施形態のライト装置の斜視図、（ｂ）はその破線断面図。
【図２】導光板と発光部との関係を示す説明図。
【図３】（ａ）は導光板の平面図、（ｂ）はその背面図。
【図４】（ａ）は図３（ａ）のＡ−Ａ線断面図、（ｂ）はＢ−Ｂ線断面図。
【図５】（ａ）は縦列の発光体を発光させた状態の平面図、（ｂ）は更に横列の発光体を発光させた状態の平面図。
【図６】（ａ）は第２の実施形態のライト装置の断面図、（ｂ）は導光板の斜視図。
【図７】（ａ）は導光板と発光部の分解斜視図、（ｂ）は導光板と発光部との位置関係を説明する説明図。
【図８】第３の実施形態のライト装置の分解斜視図。
【図９】（ａ）はライト装置の断面図、（ｂ）は発光体を発光させた状態の平面図。
【発明を実施するための形態】
【００１３】
（第１の実施形態）
以下、本発明を具体化したライト装置の一実施形態を図１〜図５にしたがって説明する。図１（ａ）はライト装置１の斜視図であり、図１（ｂ）はその破線断面図である。図１（ａ）に示すように、本実施形態のライト装置１は、全体として縦及び横方向の長さに比して高さが抑えられた矩形箱状に形成されている。なお、図１中の矢印Ｘで示す左右（方向）を横（方向）といい、矢印Ｙで示す上下（方向）を縦（方向）という。また、矢印Ｚで示す高さ方向のうち上（側）を前面（側）、下（側）を背面（側）という。
【００１４】
ライト装置１の前面及び側面は前枠２によって囲われており、前枠２の背面には底枠３が配置されている。前枠２の前面周囲には縦枠４と横枠５とが備えられており、この縦枠４及び横枠５で囲まれた内側は横方向に長い矩形状の開口が形成されている。前枠２及び底枠３は光が透過しない金属等の材料にて形成されている。前枠２前面の開口部分には、写真のネガフィルムやトレース原稿等を載置する透過板６が装着されている。この透過板６は乳白色に彩色された半透明のアクリル樹脂板からなり、背面側から光が照らされると光を拡散しながら透過し前面に明るい照光面６ａを形成することができる。透過板６はその周囲にフランジが形成されており、このフランジが前枠２の背面と当接することにより、前面が前枠２と面一となるようにはめ込まれている（図１（ｂ））。
【００１５】
前枠２前面の四隅の一角（図中左上の角）には長方形状の長孔７が縦方向に沿って形成され、ここにモード切替スイッチ８が設置されている。モード切替スイッチ８はスライドスイッチであり長孔７内をスライド移動可能に配置されている。モード切替スイッチ８は図１（ａ）に示す中央位置が切り位置であり、この位置から下方にスライドさせると発光部９を一括で発光させる一括モードとなり、中央位置から上方にスライドさせると発光部９を個別に発光させる個別モードとなる。
【００１６】
モード切替スイッチ８の下方となる縦枠４上にはスライドスイッチに近接した位置に一括モードにおいて発光部９を操作するための一括スイッチ１０が一つ配置されている。この一括スイッチ１０は静電式タッチスイッチであり、操作（タッチ）毎に発光部９の光量を段階的に切り換えることができる。また、モード切替スイッチ８の側方となる横枠５上には個別モードにて発光部９を操作するための複数（実施形態では６個）の縦列スイッチ１１が一列に配置されている。さらに、この縦列スイッチ１１が配置されている横枠５に続く縦枠４上にも同じく個別モードにて発光部９を操作するための複数（実施形態では５個）の横列スイッチ１２が一列に配置されている。縦列スイッチ１１は、横枠５上において透過板６を縦方向に縦列スイッチ１１の設置数にて均等に分割した領域の延長上に配置されている。また、横列スイッチ１２も、縦枠４上において透過板６を横方向に横列スイッチ１２の設置数にて均等に分割した領域の延長上に配置されている。これら、縦列スイッチ１１及び横列スイッチ１２はいずれも静電式タッチスイッチである。
【００１７】
図１（ｂ）に示すように、前枠２と底枠３で覆われたライト装置１の内部では、透過板６の背面に導光板１３が配置されている。また、導光板１３の背面には光を反射させる不透明白色樹脂からなる反射板（図示略）が配置されている。図２に、ライト装置１の内部に配置されている発光部９及び導光板１３の分解斜視図を示す。また、図３（ａ）にその平面図を、さらに同図３（ｂ）には図３（ａ）に図示した導光板１３を同図中Ａ−Ａ線を軸として１８０度回転させた背面図を示す。導光板１３は、発光部９から導入した光を拡散させて透過板６を背面から照らし、透過板６上に照光面６ａを形成するものであり、一定の高さを有する透明の樹脂板にて形成されている。その縦横の大きさは前枠２の開口部分の大きさと同一に形成されている。
【００１８】
導光板１３の前面には導光板１３を縦方向に横断し導光板１３の縦側面１４同士を結ぶ断面Ｕ字状の縦遮光溝１５が複数形成されている。この縦遮光溝１５は導光板１３内を縦方向に通る光を遮蔽して横方向への拡散を防止するものであり、縦遮光溝１５は断面において平行に延びる内壁１５ａと、この内壁１５ａ間の距離を直径とする円弧状の底部１５ｂを有しており、縦遮光溝１５の内面は光を透過しにくいマット状に形成されている。導光板１３の前面から縦遮光溝１５の底部１５ｂまでの深さは導光板１３の高さの半分よりも少し短い長さとなっている。なお、図では縦遮光溝１５を強調するため導光板１３に比して縦遮光溝１５を相対的に大きく示している。
【００１９】
この縦遮光溝１５は、導光板１３の前面に同じ断面形状にて一定間隔かつ平行に複数配置されている。具体的には、縦遮光溝１５は導光板１３の前面を縦方向に均等に６分割する位置に５本形成されており（図３（ａ）、図４（ａ））、これにより導光板１３の前面は縦方向に６つの縦列ブロック１３ａに分けられることとなる。また、導光板１３の前面には縦遮光溝１５に加え前面反射パターン１６が形成されている。この前面反射パターン１６は導光板１３内を通る光を拡散させるためのものであり、縦遮光溝１５の形成方向と直交する方向に伸びる多数本の浅い引っ掻き傷状の細線から構成されている。各細線の表面には細かな凹凸が多く形成されており、ここを通る光は乱反射されて拡散される。前面反射パターン１６を構成する細線は縦遮光溝１５と直交する方向に互いに平行に形成されているが、隣接する細線同士の間隔は、導光板１３の横方向に伸びる辺の一方（発光部９が配置されている側の辺）から他方に向かうほど順次狭くなっている。また、前面反射パターン１６は縦遮光溝１５内には形成されていない。
【００２０】
導光板１３の背面には導光板１３を横方向に横断し横側面１７同士を結ぶ断面Ｕ字状の横遮光溝１８が複数形成されている。この横遮光溝１８は、縦遮光溝１５の向きを反転させた断面形状に形成され、平行に延びる内壁１８ａと円弧状の底部１８ｂを有し内面がマット状に形成されていることは縦遮光溝１５と同様である。また、導光板１３の背面から横遮光溝１８の底部１８ｂまでの深さも導光板１３の高さの半分よりも少し短い深さとなっている点も同様である。横遮光溝１８は、導光板１３の背面を横方向に均等に５分割する位置に４本平行に形成されており（図３（ｂ）、図４（ｂ））、これにより導光板１３の背面は横方向に５つの横列ブロック１３ｂに分けられることとなる。また、導光板１３の背面には横遮光溝１８に加え背面反射パターン１９が形成されている。この背面反射パターン１９は横遮光溝１８の形成方向と直交する方向に伸びる多数本の浅い引っ掻き傷状の細線から構成されており、具体的な形態は導光板１３前面の前面反射パターン１６と同様の構成をなしている。背面反射パターン１９を構成する細線同士の間隔は、導光板１３の縦方向に伸びる辺の一方（発光部９が配置されている側の辺）から他方に向かうほど順次狭くなっている。
【００２１】
すなわち、導光板１３に形成されている縦遮光溝１５と横遮光溝１８とは互いに直交する関係にあり、また前面反射パターン１６と背面反射パターン１９も互いに直交する関係にある。なお、縦遮光溝１５と横遮光溝１８の深さはいずれも導光板１３の高さの半分よりも少し短い長さに形成されていることから、縦遮光溝１５と横遮光溝１８同士が貫通することはない。
【００２２】
図２、図３（ａ）、図３（ｂ）に示すように、導光板１３の縦側面１４及びこれに隣接する横側面１７にはそれぞれ発光部９を構成する縦列発光部２０、横列発光部２１が配置されている。このうち縦列発光部２０は導光板１３の縦側面１４であって導光板１３を前枠２に組み付けた場合に縦列スイッチ１１が位置する側に配置され、横列発光部２１は導光板１３の横側面１７であって導光板１３を前枠２に組み付けた場合に横列スイッチ１２が位置する側に配置される。縦列発光部２０及び横列発光部２１の導光板１３への装着位置を図２に二点鎖線にて示している。縦列発光部２０は導光板１３の縦側面１４と同じ長さに形成された長尺板状のベース２２上に一定間隔にて複数の発光体２３が一列に配置されたユニット構造となっている。同様に、横列発光部２１は導光板１３の横側面１７と同じ長さに形成された長尺板状のベース２４上に一定間隔にて複数の発光体２５が一列に配置されたユニット構造となっている。なお、ベース２２、２４の高さはいずれも導光板１３の高さの半分に設定されており、これに配置される発光体２３、２５もベースの高さ内に収まる大きさのＬＥＤ発光素子であって、その発光方向はベース２２、２４の長さ方向に直交する方向である。
【００２３】
縦列発光部２０及び横列発光部２１が備える発光体２３、２５の数は縦列スイッチ１１及び横列スイッチ１２と同数である。すなわち、縦列発光部２０は６個の発光体２３を備えており、横列発光部２１は５個の発光体２５を備えている。また、各発光体２３、２５はそれぞれのベース２２、２４を長さ方向に発光体２３、２５の数（横方向６個、縦方向５個）で均等に分割して得られる各領域の中央に配置されている。したがって、前枠２に発光部９を配置した導光板１３を組み付けると、縦列スイッチ１１の背部に縦列発光部２０の各発光体２３が位置し、また横列スイッチ１２の背部に横列発光部２１の各発光体２５が位置することとなる（図１（ｂ）参照）。
【００２４】
縦列発光部２０及び横列発光部２１は、導光板１３の縦側面１４及び横側面１７において縦遮光溝１５及び横遮光溝１８と対向する位置にそれぞれ配置されている。すなわち、縦列発光部２０は導光板１３の縦側面１４に対向して縦遮光溝１５が形成されている上側となる前面側に配置されており（図４（ｂ））、横列発光部２１は導光板１３の横側面１７に対向して横遮光溝１８が形成されている下側となる背面部分に配置されている（図４（ａ））。このため、縦列発光部２０及び横列発光部２１は、導光板１３にそれぞれ形成されている縦遮光溝１５及び横遮光溝１８の片方を塞ぐ形で配置されることとなる。また、縦列発光部２０の各発光体２３は導光板１３の縦側面１４に接触する状態で対向配置され、横列発光部２１の各発光体２５は導光板１３の横側面１７に接触する状態で対向配置される（図３、図４）。
【００２５】
次に、発光部９の制御について説明する。発光部９の発光制御は、モード切替スイッチ８をスライドさせることにより一括モードと個別モードのいずれかを択一的に選択することができ、この２つのモードに大きく分けられる。なお、発光部９は図示しない外部電源に接続されている。まず、一括モードでは、一括スイッチ１０による制御のみが可能となる。このモードで一括スイッチ１０にタッチすると、全ての発光体２３、２５が消光状態から１００％の発光状態となる。発光体２３、２５からの光は導光板１３内に導入され、導光板１３内を進むうち前面反射パターン１６及び背面反射パターン１９にてランダムな方向に拡散され、そのうち前面側へ向かう光によって透過板６が背面側から照光されて透過板６前面に照光面６ａが形成されることとなる。なお、導光板１３内で背面方向に向かった光は導光板１３の背面側に配置されている反射板（図示略）により反射されて再び導光板１３内に導入される。
【００２６】
一括スイッチ１０は１００％発光の後、タッチする度に順次減光し７５％発光、５０％発光、消光となり、その後に再び１００％発光となるサイクルを繰り返すように設定されている。したがって、一括スイッチ１０による操作では、全発光体２３、２５が一斉に発光（減光）／消光するため、透過板６全面に照光面６ａを形成することができる。なお、導光板１３のうち縦遮光溝１５及び横遮光溝１８が形成されている部分では遮光されて透過板６のうちその部分に対向する領域は他の領域に比して相対的に照光量が少なくなるが実際には遮光溝の溝幅は狭く透過板６自体にも拡散機能があるため透過板６上にはほぼ均一の照光面６ａが形成される。
【００２７】
一方、モード切替スイッチ８を切り換えて個別モードとすると、縦列スイッチ１１及び横列スイッチ１２のみ操作可能となる。縦列スイッチ１１及び横列スイッチ１２はそれぞれの直下に位置する一つの発光体２３、２５にのみ制御可能となっており、一つのスイッチを操作するとこれに対応する１つの発光体のみが消光状態から１００％の発光状態となる。例えば、縦列スイッチ１１の一つ（図５（ａ）中で着色している）をタッチすると縦列発光部２０のうち対応する一つの発光体２３のみが発光する。この発光体２３から出た光は導光板１３内において対応する縦列ブロック１３ａ内に導入され、光は同縦列ブロック１３ａを通過する際に拡散するが、縦列ブロック１３ａの幅方向両側には縦遮光溝１５が形成されているため、縦遮光溝１５を越えて隣接する縦列ブロック１３ａへの光の拡散は抑制される。すなわち、光は導光板１３の面において光の照射方向と直交する方向（特定方向）への拡散が抑制される。一方、同縦列ブロック１３ａ内では導光板１３に形成された前面反射パターン１６により光がランダムな方向に拡散され、前面側へ向かう光によって透過板６が背面から照光されることとなる。なお、導光板１３内にて背面側に向かった光は導光板１３の下に配置されている反射板（図示略）により反射されて再び導光板１３内に導入される。この結果、透過板６上には縦方向に伸びる照光面６ａが形成される（図５（ａ））。
【００２８】
更に、横列スイッチ１２の一つ（図５（ｂ）中で着色している）をタッチすると横列発光部２１のうち対応する発光体２５が発光し、この発光体２５からの光は導光板１３内において対応する横列ブロック１３ｂ内に導入されて、透過板６上には横方向に伸びる照光面６ａが形成される。したがって、これら縦横２つの交点には輝度の高い照光面６ａが形成される（図５（ｂ））。
【００２９】
縦列スイッチ１１及び横列スイッチ１２も一度タッチすると１００％発光し、タッチする度に順次減光し７５％発光、５０％発光、消光、その後に再び１００％発光となるサイクルを繰り返す。また、縦列スイッチ１１及び横列スイッチ１２に属するスイッチは制御的に独立しているため、透過板６上の照光面６ａの範囲を拡げたいときには、例えば、隣接する２つの横列スイッチ１２にタッチすれば、それらに対応する２つの発光体２５が発光し、透過板６上においてより広い照光面６ａが得られる。
【００３０】
上記実施形態のライト装置１によれば、以下のような効果を得ることができる。
（１）上記実施形態では透過板６の一部分に照光面６ａを形成することができる。このため、トレース作業やネガフィルムの確認作業を行う場合であっても透過板６全面が発光させる必要がなく目に負担が掛かりにくい。また、医師が患者にレントゲンフィルムに撮像された患部を示す場合でも説明に不要な部分を照光させないことにより必要な箇所に注目させやすくなる。
【００３１】
（２）導光板１３には、縦遮光溝１５又は横遮光溝１８を形成し、これらにて区画される領域（縦列ブロック１３ａ、横列ブロック１３ｂ）に対応してそれぞれ個別に発光可能な発光体２３、２５を配置した。このため、発光体２３、２５からの導光板１３に導入された光は縦遮光溝１５又は横遮光溝１８によって対応する縦列ブロック１３ａ、横列ブロック１３ｂ内にのみ導入され、導光板１３の面方向における拡散が抑制される。
【００３２】
（３）導光板１３にはその前面側に縦遮光溝１５を形成してこれと同じ高さ位置に縦列発光部２０を設置し、背面側に横遮光溝１８を形成してこれと同じ高さ位置に横列発光部２１を設置している。このため、縦列発光部２０及び横列発光部２１から出た光は進行方向に直交する方向に伸びる遮光溝に遮られることが少ない状態で導光板１３内を進むことができる。
【００３３】
（４）個別モードでは、個々の発光体２３、２５とこれを制御する縦列スイッチ１１及び横列スイッチ１２とを一対一にて対応させ、縦列スイッチ１１及び横列スイッチ１２を対応する発光体２３、２５の直上に設置した。このため、発光させたい列上のスイッチを操作すればよく操作が容易である。
【００３４】
（５）上記実施形態では、モード切替スイッチ８により、発光部９を一斉に発光させる一括モードと発光部９を部分的に発光させる個別モードとを選択することができるため、用途に応じて使い分けることができる。
【００３５】
なお、上記実施形態は以下のように変更してもよい。
・  上記実施形態では１枚の導光板１３の前面に縦遮光溝１５を形成し背面に横遮光溝１８を形成したが、縦遮光溝１５を形成した第１の導光板と、背面に横遮光溝１８を形成した第２の遮光板の２枚の遮光板を積層してもよい。すなわち、第１の実施形態の導光板１３を高さ方向の中間部分で２枚に切断したものといえる。この場合、背側に配置される第２の導光板から出た拡散光は第１の導光板を通して透過板に到達し照光面６ａを形成することになるため、第１の導光板と第２の導光板との間の光の伝達が必要となり、例えば両者間にウレキサイトシート等の光伝達媒体を介在させることも可能である。
【００３６】
・  縦遮光溝１５及び横遮光溝１８はいずれも断面Ｕ字形状に形成されているが、底部形状を断面Ｖ字形状としてもよい。これによっても隣接するブロックへの光の拡散は抑制される。
【００３７】
・また、縦遮光溝１５及び横遮光溝１８をスリット状の幅狭の溝とし、この溝内に光非透過性の板材（例えば金属板）等を挿入しても光の拡散は抑制される。
・  縦列発光部２０に対応する発光体２３の発光素子の数を変更してもよい。上記実施形態では一つの縦列ブロック１３ａに対して一つの発光素子からなる発光体２３を対応させているが一つの縦列ブロック１３ａに対して二つ以上の発光素子を一組として発光体２３とし対応させてもよい。これは横列発光部２１も同様に変更可能である。
【００３８】
・発光部９を導光板１３の縦側面１４のうち一面と横側面１７のうち一面に配置したが発光部を両面に対向して配置してもよい。すなわち、導光板１３の全側面に発光部９を配置する。この場合には前面反射パターン１６及び背面反射パターン１９を構成する細線の間隔はいずれも均等となるように形成すればよい。
【００３９】
・縦遮光溝１５及び横遮光溝１８とこれに対応する縦列発光部２０及び横列発光部２１のいずれか一方を省略してもよい。この場合は透過板６に形成される照光面６ａは縦又は横の帯状となるがこれでも透過板６に部分的に照光面を形成することができる。
・ライト装置１は使用状態での向きは問わず図１のように透過板６を地面或いは卓面に対して水平方向となるように配置してもよいし、ライト装置を壁に掛けるなど透過板６を地面或いは卓面に対して垂直方向となるように配置してもよい。
・ライト装置は一定の高さ（Ｚ方向）を有しているが、縦方向に傾斜を設けてもよい。  
（第２の実施形態）
次に、本発明を具体化したライト装置１の第２の実施形態を図６〜図７にしたがって説明する。なお、第２の実施形態は、第１の実施形態の導光板１３と発光部９の構成を変更した構成であるため、同様の部分についてはその詳細な説明を省略する。
【００４０】
第２の実施形態のライト装置１は、外観は第１の実施形態と同様であり、図１（ａ）に示す形態と同様の形態を有している。図６（ａ）に第２の実施形態のライト装置１の断面図（図１（ａ）と同様の部位にて切断）を示す。ライト装置１の前側面は前枠２にて覆われており、前枠２の前面に形成された開口には透過板６が装着されている。そして、透過板６の背面には導光板３０が配置され、その背面には発光部３１が配置されている。また、発光部３１の背面には前枠２と嵌合可能な底枠３が配置されている。図６（ｂ）に導光板３０の斜視図を示す。導光板３０は透明の樹脂板から形成されているがその高さは第１の実施形態よりも低く形成されている。また、導光板１３の背面には縦遮光溝３２と横遮光溝３３が形成され、前面には格子状の反射パターン３６が形成されている。
【００４１】
図７（ａ）に導光板３０と発光部３１の分解斜視図を示す。同図に示されるように導光板３０の背面（図７（ａ）では図６（ｂ）に示した導光板３０の向きを反転させて背面を上向きに示している）に縦遮光溝３２と横遮光溝３３とが直交する状態で形成されている。すなわち、導光板３０の背面には縦側面３４同士を横断して結ぶ縦遮光溝３２が一定間隔でかつ平行に５本形成されており、導光板３０の背面は縦方向に均等に６つに区分けされている。
【００４２】
また、同じく導光板３０の背面には横側面３５同士を横断して結ぶ横遮光溝３３も一定間隔かつ平行に４本形成されており、導光板の背面は横方向に均等に５つに区分けされている。したがって、第２の実施形態の導光板３０の背面は縦遮光溝３２及び横遮光溝３３により横６×縦５の３０のブロック３０ａに区分けされている。なお、遮光溝の形状は断面Ｕ字状で第１の実施形態と同様であり、その深さは導光板３０の高さよりも少し短い深さとなっている。このため、導光板３０自体は第１の実施形態の導光板１３よりも高さが低いものとなっている。導光板３０の背面にはさらに反射パターン３６が形成されている。この反射パターン３６は第１の実施形態と同様に浅い引っ掻き傷状の多数の細線であるが、第２の実施形態の反射パターン３６は一定間隔に形成された多数の細線が格子状をなしている（図６（ｂ）参照）。発光部３１はシート状のベース３７とその前面に配置されたＬＥＤ発光素子の発光体３８からなり、この発光体３８がベース３７上に横６個×縦５個の合計３０個配置されている。図７（ｂ）に示すように、導光板３０を発光部３１の前面に積層して配置した場合には、導光板３０の各ブロック３０ａの中央部分に対向して各発光体３８が位置する。
【００４３】
次に、発光部３１の制御について説明する。発光部３１の制御モードがモード切替スイッチ８をスライドさせることによって一括モードと個別モードに分けられることは第１の実施形態と同様である。一括モードでは一括スイッチ１０による全発光体３８を一斉に制御することが可能となる。すなわち、一括スイッチ１０にタッチすると全発光体３８が一斉に発光し、各発光体３８からの光はその前面に位置する導光板３０の各ブロック３０ａに導入される。また、導入された光は反射パターン３６にて拡散されながら導光板３０の前面から出て透過板６を背面から照光し、透過板６全体に照光面６ａが形成される。なお、一括スイッチ１０にタッチする度に光量が変化（１００％→７５％→５０％）し、その後消光するサイクルを繰り返すのは第１の実施形態と同様である。
【００４４】
一方、個別モードでは縦列スイッチ１１及び横列スイッチ１２が操作対象となる。縦列スイッチ１１は各スイッチが位置する縦の列上の発光体３８に対応しており、同様に横列スイッチ１２は各スイッチが位置する列上の発光体３８に対応している。このため、発光させたい発光体３８が属する列の縦列スイッチ１１と横列スイッチ１２を順にタッチすることによりその縦列と横列の交点に位置する特定の発光体３８が発光する。
【００４５】
発光体３８からの光は導光板３０のうち対向するブロック３０ａ内に導入されるが、ブロック３０ａの周囲は縦遮光溝３２及び横遮光溝３３にて囲まれているため他のブロック３０ａへの拡散は抑制される。このため、発光体３８からの光はこれに対向するブロック３０ａを通過して反射パターン３６にて拡散されながら透過板６上に照光され、同ブロック３０ａの前面部分を中心とする照光面６ａが形成される。また、発光体３８を消光するには発光時にタッチした縦列スイッチ１１又は横列スイッチ１２のいずれかを再度タッチすればよい。
【００４６】
従って、第２の実施形態によれば、第１の実施形態に記載の効果に加えて以下の効果を得ることができる。
（１）．上記実施形態では、導光板３０の下に配置されている発光体３８が発光する。このため、発光体３８から透過板６までの距離が短く効率的に照光面６ａを形成することができる。
【００４７】
（２）．導光板３０には、周囲が縦遮光溝３２及び横遮光溝３３にて囲まれたブロック３０ａが形成される。このため、特定のブロック３０ａに導入された発光体３８からの光は他のブロック３０ａへの拡散が抑制される。
【００４８】
（３）．発光体３８の発光方向が透過板６を向いているため、この点でも光が減衰せず効率よく透過板６に照光面６ａを形成することができる。
なお、本実施形態は以下のように変更してもよい。
【００４９】
・  発光体３８の発光制御を変更してもよい。例えば、縦列スイッチ１１と横列スイッチ１２とにそれぞれタッチして特定の発光体３８を１００％で発光させた後、いずれかのスイッチに再度タッチする度に減光し７５％−５０％−消光のサイクルを繰り返すパターンとしてもよい。
【００５０】
・  縦列スイッチ１１又は横列スイッチ１２のいずれか一列のみにしてもよい。例えば、縦列スイッチ１１のみとし、発光体３８の指定は縦列スイッチ１１へのタッチ回数にて行うものでもよい。この場合には、タイマーを設けておき縦列スイッチ１１へのタッチから次のタッチまでの時間が一定時間未満なら発光させる発光体３８を変更させ、一定時間以上なら一旦発光させた発光体３８の発光を消光させる制御とすればよい。
【００５１】
・  各発光体３８をシート状（面状）発光体としてもよい。これにより、発光体に対向するブロック全面から光を導入させることができ、透過板６に均一な照光面を形成することができる。
【００５２】
・  発光体３８の数（縦列、横列の数）を変更してもよい。
第３の実施形態
次に、本発明を具体化したライト装置１の第３の実施形態を図８〜図９にしたがって説明する。図８に第３の実施形態のライト装置１の分解斜視図を示す。同図に示すように本実施形態のライト装置の前枠２は、その前面に操作部として一つの操作スイッチ４０が配置されているだけである点で前記各実施形態と異なる。なお、前枠２の中央に透過板６が装着されていることは前記各実施形態と同様である。
【００５３】
ライト装置１の底枠３には前枠２に内嵌される嵌合枠４１が矩形枠状に立設されており、そのうち横方向に伸びる嵌合枠４１の横方向に伸びる内壁面４１ａの一方には発光部４２が配置されている。この発光部４２は内壁面４１ａと同じ長さに形成された長尺板状のベース４３に複数の発光体４４を一列に配置したものであり、発光体４４の発光方向は発光体４４が配置されている内壁面４１ａと直交する方向である。なお、底枠３の床面３ａ及び嵌合枠４１のうち発光部４２が配置されていない内壁面４１ａには反射率の低い材料（暗色生地等）が貼り付けられている。
【００５４】
底枠３の床面３ａには平面矩形状の可動片４５が同床面３ａ上を移動自在に載置されている。具体的には可動片４５は嵌合枠４１の高さよりも少し短い高さに形成された透明樹脂からなる導光板４６を備え、導光板４６の前面には細かな反射パターン４７が格子状に形成されている。また、導光板４６の下面にはステンレス等の金属からなる磁性板４８が接着されている。
【００５５】
図９にライト装置１の断面図を示す。前枠２と底枠３とが嵌合された状態では、可動片４５は前枠２と底枠３との間に形成される閉鎖された内部空間４９内に配置される。可動片４５は底枠３の床面３ａ上に載置されており、可動片４５の前面と透過板６の背面との間にはわずかのクリアランスがあるため、可動片４５は内部空間４９内を移動自在となっている。そして、透過板６前面から磁石５０を近づけると可動片４５の磁性板４８が磁石５０に引き寄せられ、透過板６上で磁石５０を移動させるとこれに伴って可動片４５も内部空間４９内を自在に移動する。
【００５６】
次に、本実施形態のライト装置１の作用を説明する。ライト装置１の操作スイッチ４０を入れると発光部４２の全発光体４４が発光し、その光は内部空間４９に向けられている。発光体４４はＬＥＤから構成されており指向性に優れているとともに、内部空間４９の内壁面４１ａ及び床面３ａは反射率が低くなっているためこれらに当たった光の反射は抑制される。一方、内部空間４９内には可動片４５が載置されており、この可動片４５は透明樹脂からなる導光板４６を備えている。発光体４４からの光の一部は導光板４６の側面からその内部に導入され、導光板４６に形成されている反射パターン４７により拡散されて一部が透過板６へと向かう。このため、透過板６のうち可動片４５の前面部分を中心として照光面６ａが形成される。
【００５７】
また、この照光面６ａを透過板６の別の場所に形成させたい場合には、透過板６の照光面６ａの前面に磁石５０を近づけると、可動片４５の磁性板４８が磁石５０に引き寄せられ、磁石５０の移動に追随して可動片４５が移動し、併せて透過板６上に形成される照光面６ａも移動する。そして、任意の場所に照光面６ａを形成した後に透過板６から磁石５０を遠ざければよい。
【００５８】
従って、第３の実施形態によれば、以下の効果を得ることができる。
（１）．第３の実施形態では、内部空間４９内に光が向かうように発光体４４が配置され、内部空間４９内を移動自在である可動片４５に当たった光のみが拡散して透過板６に照光面６ａを形成する。このため、透過板６の一部の部分のみに照光面６ａを形成することが可能となる。
【００５９】
（２）．可動片４５は磁性板４８を備えており、透過板６の前面から磁石５０を近づけるとこれに引き寄せられる。このため、磁石５０を移動させることによって任意の位置に可動片４５を移動させることができ、透過板６の任意の場所に照光面６ａを移動させることができる。
【００６０】
（３）．内部空間４９を構成する底枠３の床面３ａ及び嵌合枠４１の内壁面４１ａは反射率の低い材料が貼り付けられている。したがって、発光体４４から出た光のうち可動片４５に導入されない光が乱反射して透過板６を照光することが抑制される。
【００６１】
なお、本実施形態は以下のように変更してもよい。
・  発光体４４は複数でなくてもよい。例えば長尺状のＬＥＤ発光素子を使用する場合には単体でよい。指向性を有して内部空間４９内を照射することができる発光体であればよい。
【００６２】
・  可動片４５は平面が矩形状でなくてもよく、例えば円形、楕円形等でもよい。
【符号の説明】
【００６３】
１…ライト装置、６…透過板、６ａ…照光面、９，３１，４２…発光部、１３，３０，４６…導光板、２３，２５，３８，４４…発光体。
【図１】
2011003302.tif 000003
【図２】
2011003302.tif 000004
【図３】
2011003302.tif 000005
【図４】
2011003302.tif 000006
【図５】
2011003302.tif 000007
【図６】
2011003302.tif 000008
【図７】
2011003302.tif 000009
【図８】
2011003302.tif 000010
【図９】
2011003302.tif 000011